(57)【特許請求の範囲】
【請求項１】
車両のドラムブレーキのシュー（１２、１３）を離間させるために配置されたドラム・ブレーキ・アクチュエータ（２）を駆動させる、ギヤードモータ部品（５）であって、
回転軸（Ａ５）の周囲で回転し、減速機構（５５）を介して、前記ドラム・ブレーキ・アクチュエータ（２）に結合可能な出力軸（５５７）を駆動させる、少なくとも１つの電動モータ（５２）と、
少なくとも１つの前記電動モータ（５２）、および前記減速機構（５５）を収容する、長手方向に細長い形状のギヤード・モータ・ハウジング（５１）とを備え、
前記電動モータ（５２）は、前記ギヤード・モータ・ハウジング（５１）内で、前記回転軸（Ａ５）に対して長手方向に、モータ凹部（２５）の中に配置され、前記モータ凹部（２５）は、挿入口を介して前記ギヤード・モータ・ハウジング（５１）の外側に開いていることを特徴とし、かつ前記ギヤード・モータ・ハウジング（５１）の前記モータ凹部（２５）は、前記電動モータ（５２）を固定する、少なくとも１つの幾何学的形状、寸法、および手段を含み、前記回転軸（Ａ５）に対して直径が異なる電動モータ（５２）の複数のモデルを、等しく受けるのに適していることを特徴とする、ギヤードモータ部品（５）。
【請求項２】
前記ギヤード・モータ・ハウジング（５１）が円筒形であることを特徴とする、請求項１に記載のドラム・ブレーキ・アクチュエータ（２）を駆動させるギヤードモータ部品（５）。
【請求項３】
少なくとも１つの円筒形シムケーシング（５３）が、前記少なくとも１つの電動モータ（５２）の周囲に接触し、かつ前記モータ凹部（２５）の内壁に径方向に接触して取り付けられ、前記電動モータ（５２）を所定の位置に保持して、前記ギヤード・モータ・ハウジング（５１）に対する遊びをなくせることを特徴とする、請求項１又は２に記載のドラム・ブレーキ・アクチュエータ（２）を駆動させるギヤードモータ部品（５）。
【請求項４】
前記ギヤード・モータ・ハウジング（５１）の前記モータ凹部（２５）の開口部を閉じる後部カバー（５４）が、前記後部カバーの壁（５４２）から、一体化して回転軸方向（Ａ５）に延びる、「後部（５４１）」と呼ばれる円筒形シムケーシングを有し、前記少なくとも１つの電動モータ（５２）を径方向に接触して囲み、その結果、遊びがないように、前記電動モータ（５２）を所定の位置に保持することを特徴とする、請求項１〜３のいずれか一項に記載のドラム・ブレーキ・アクチュエータ（２）を駆動させるギヤードモータ部品（５）。
【請求項５】
前記少なくとも１つの円筒形シムケーシング（５３）が、前記少なくとも１つの電動モータ（５２）によって生成された電磁干渉に対するシールドを形成する材料で作られていることを特徴とする、請求項３に記載のドラム・ブレーキ・アクチュエータ（２）を駆動させるギヤードモータ部品（５）。
【請求項６】
「後部（５４１）」と呼ばれる前記円筒形シムケーシングが、前記少なくとも１つの電動モータ（５２）によって生成された電磁干渉に対するシールドを形成する材料で作られていることを特徴とする、請求項４に記載のドラム・ブレーキ・アクチュエータ（２）を駆動させるギヤードモータ部品（５）。
【請求項７】
前記少なくとも１つの円筒形シムケーシング（５３）が、前記少なくとも１つの電動モータ（５２）によって生成された熱用の熱拡散器を生成するように、熱伝導材料で作られていることを特徴とする、請求項３に記載のドラム・ブレーキ・アクチュエータ（２）を駆動させるギヤードモータ部品（５）。
【請求項８】
「後部（５４１）」と呼ばれる前記円筒形シムケーシングが、前記少なくとも１つの電動モータ（５２）によって生成された熱用の熱拡散器を生成するように、熱伝導材料で作られていることを特徴とする、請求項４に記載のドラム・ブレーキ・アクチュエータ（２）を駆動させるギヤードモータ部品（５）。
【請求項９】
前記車両が自動車であることを特徴とする、請求項１に記載のドラム・ブレーキ・アクチュエータ（２）を駆動させるギヤードモータ部品（５）。
【請求項１０】
前記少なくとも１つの電動モータ（５２）が、単一の電動モータであることを特徴とする、請求項１に記載のドラム・ブレーキ・アクチュエータ（２）を駆動させるギヤードモータ部品（５）。
【請求項１１】
前記少なくとも１つの円筒形シムケーシング（５３）が、管状であることを特徴とする、請求項３に記載のドラム・ブレーキ・アクチュエータ（２）を駆動させるギヤードモータ部品（５）。
【請求項１２】
請求項１〜１１のいずれか一項に記載のギヤードモータ部品（５）によって駆動されることを特徴とする、ブレーキ機能を実行するように、ドラムブレーキの２つのシュー（１２、１３）を離間させるために配置された、ドラム・ブレーキ・アクチュエータ（２）。
【請求項１３】
車両用のドラムブレーキ（１）であって、ブレーキ機能を実行する目的で、摩擦によってドラムと相互作用するために、互いに離間させることが可能な摩擦ライニングを装備したシュー（１２、１３）を備え、前記ドラムブレーキは、前記シュー（１２、１３）の前記離間を実行するために配置された請求項１２に記載のドラム・ブレーキ・アクチュエータ（２）を備えることを特徴とする、ドラムブレーキ（１）。
【請求項１４】
前記車両が道路車両であることを特徴とする、請求項１３に記載のドラムブレーキ（１）。
【請求項１５】
本発明による前記ドラム・ブレーキ・アクチュエータ（２）が、移動端と呼ばれる前記２つのシュー（１２、１３）の第１の端部（１２１、１３１）を、停止端と呼ばれる反対側に置かれた第２の端部（１２２、１３２）がプレート（１０）に固定されたアンカー（２１）に当接している間に、互いに離間させるために配置された第１のアクチュエータ（１１）の効果で、第１のブレーキ機能を提供するドラムブレーキ（１）内で、第２のブレーキ機能を提供できる第２のアクチュエータを形成することを特徴とし、
前記第２のアクチュエータが、前記移動端（１２１、１３１）が前記プレート（１０）に対して移動可能なスペーサ部品（１４）を介して互いに押圧している間に、前記シュー（１２、１３）の前記停止端（１２２、１３２）を互いに離間させるために配置され、前記停止端は、１つずつが、前記プレート（１０）に固定されたアンカー（２１）を押圧できることを特徴とする、請求項１３に記載のドラムブレーキ（１）。
【請求項１６】
前記第２のブレーキ機能が、駐車または緊急ブレーキ機能であることを特徴とする、請求項１５に記載のドラムブレーキ（１）。
【請求項１７】
前記第１のブレーキ機能が、常用ブレーキ機能であることを特徴とする、請求項１５に記載のドラムブレーキ（１）。
【請求項１８】
車両用のブレーキであって、第１のブレーキ機能を実行するために、ブレーキパッドと相互作用するブレーキディスクを備え、前記ブレーキは、第２のブレーキ機能を提供するために配置された、請求項１３に記載のドラムブレーキ（１）であって、前記ドラムは前記ブレーキディスクに固定され、前記ブレーキディスクと同軸である、ドラムブレーキ（１）をさらに備える、ブレーキ。
【請求項１９】
前記車両が道路車両であることを特徴とする、請求項１８に記載のブレーキ。
【請求項２０】
前記第１のブレーキ機能が、常用ブレーキ機能であることを特徴とする、請求項１８に記載のブレーキ。
【請求項２１】
前記第２のブレーキ機能が、駐車および／または緊急ブレーキ機能であることを特徴とする、請求項１８に記載のブレーキ。
【請求項２２】
請求項１２に記載のドラム・ブレーキ・アクチュエータ（２）を備える、車両。
【請求項２３】
請求項１３〜１７のいずれか一項に記載のドラムブレーキ（１）を備える、車両。
【請求項２４】
請求項１８〜２１のいずれか一項に記載のブレーキを備える、車両。
【請求項２５】
請求項１２に記載のドラム・ブレーキ・アクチュエータ（２）を備える、車両サブアセンブリ。
【請求項２６】
請求項１３〜１７のいずれか一項に記載のドラムブレーキ（１）を備える、車両サブアセンブリ。
【請求項２７】
請求項１８〜２１のいずれか一項に記載のブレーキを備える、車両サブアセンブリ。
【請求項２８】
請求項４、６、又は８のいずれか一項に記載のギヤードモータ部品（５）を組み立てる方法であって、
直径が異なる複数の電動モータ（５２）の中から、回転軸（Ａ５）の周囲の決められた直径で電動モータ（５２）を選択するステップと、
前記選択された電動モータ（５２）を、径方向に接触して囲むのに適した寸法を有し、前記ギヤードモータ部品（５）の前記電動モータ（５２）と前記ギヤード・モータ・ハウジング（５１）との間に遊びがないように配置できるようにする、円筒形シムケーシング（５３）を選択するステップと、
前記電動モータ（５２）、および前記円筒形シムケーシング（５３）を互いに組み付け、前記ギヤード・モータ・ハウジング（５１）の前記モータ凹部（２５）に入れるステップと、
前記後部カバー（５４）を前記ギヤード・モータ・ハウジング（５１）に固定するステップとを含むことを特徴とする方法。
【請求項２９】
請求項２８に記載のギヤードモータ部品（５）を組み立てる方法を含む、請求項１２に記載のドラム・ブレーキ・アクチュエータ（２）を組み立てる方法。
【請求項３０】
請求項２８に記載のギヤードモータ部品（５）を組み立てる方法を含む、請求項１３〜１７のいずれか一項に記載のドラムブレーキ（１）を組み立てる方法。
【請求項３１】
請求項２８に記載のギヤードモータ部品（５）を組み立てる方法を含む、請求項１８〜２１のいずれか一項に記載のブレーキを組み立てる方法。
【請求項３２】
請求項２８に記載のギヤードモータ部品（５）を組み立てる方法を含む、請求項２２〜２４のいずれか一項に記載の車両を組み立てる方法。
【請求項３３】
請求項２８に記載のギヤードモータ部品（５）を組み立てる方法を含む、請求項２５〜２７のいずれか一項に記載の車両サブアセンブリを組み立てる方法。
【発明の詳細な説明】
【技術分野】
【０００１】
本発明は、車両用のドラムブレーキのシューを離間させるために設けられた、アクチュエータを駆動させるギヤードモータ、ドラムブレーキ、およびこのギヤードモータを組み込んだ車両に関する。このギヤードモータは、通常は遊星ギヤである、減速機構を介して出力軸を駆動させる電動モータを備え、これは、細長い形状のギヤード・モータ・ハウジングに収容される。
【０００２】
本発明によれば、電動モータは、形状、寸法、およびモータの固定に特徴のある凹部の中に長手方向に配置され、これは、直径が異なる複数のモデルの電動モータを、同じようにうまく受けるのに適している。
【０００３】
また、本発明は、電動モータ、およびモータと相補的な円筒形シムケーシングを選択するステップを含む、このようなドラムブレーキを組み立てる方法に関する。
【０００４】
より詳細には、このギヤードモータは、動作を「デュオサーボ」モードで実行するために、ドラムブレーキに取り付けられたアクチュエータを駆動させる。このドラムブレーキは、「ドラムインハット」型の複合ブレーキに組み込むことができる。
【０００５】
また、このドラムブレーキ自身も、常用ブレーキとして「単動」モードで、および駐車ブレーキとして「デュオサーボ」モードで動作する、デュアルモードドラムブレーキを形成することができる。
【背景技術】
【０００６】
今日の大部分の自動車において、常用ブレーキは、ドラムブレーキまたはディスクブレーキによって提供される。ディスクブレーキは、しばしば前方アクスルに、ドラムブレーキは、後方アクスルに配置される。
【０００７】
ドラムブレーキは、通常は以下の３つのタイプのブレーキ機能を実行するために、自動車に用いられる：
通常はブレーキペダルを介して、車両を減速および／または不動にすることからなる、常用ブレーキ機能；
通常はハンドブレーキを介して、静止している車両を不動にすることを可能にする、駐車ブレーキ機能；
常用ブレーキ機能が故障した場合に、車両を減速および／または不動にすることからなり、通常は駐車ブレーキ機能と同一の装置によって提供される、緊急ブレーキ機能。
【０００８】
図１は、ドラムブレーキ９の一般的な例を示し、ホイールと同軸に、ホイールにしっかりと固定して取り付けられたドラム９５、および内側の制動面９６を支持するスカートを備える。このスカートは、ホイールハブの軸線Ａ９と同軸にプレート９０に取り付けられた機構を覆っており、ハブを支持するハーフアクスルにしっかりと固定される。
【０００９】
この機構は、１つの円の複数の円弧の形状で、ドラムの回転軸Ａ９の周囲に対向して取り付けられた２つのシュー９２、９３を備える。シューの外面では、シューが外向きに離間されたときに、摩擦ライニング９２３、９３３が、ドラムの表面を押圧する。
【００１０】
「単動」および「複動」と呼ばれるモードでは、各シューは、アクチュエータ９１によって１つの端部で離間され、もう１つの端部は、通常はリベット留めによってプレート９０にしっかりと固定されている停止板９４を、回転の接線方向に押圧する。シューがドラムの表面に押圧されると、ホイールの回転運動または回転力がシューに回転トルクを与え、シューはこの停止板を介して、これをプレートに伝える。「単動」構成では、２つのシューは、通常はプレートに固定された同一の二重ピストン油圧アクチュエータ９１によって、同じ側の２つの端部で作動される。これが最も一般的なモードであり、単純で、円滑かつ信頼性が高い動作を伴う。
【００１１】
駐車ブレーキの機能は、車両を長時間継続的に不動のまま保持することからなる。図１に示すように、それ自身は爪機構によって保持されるケーブル９９に引っ張られたレバー９７によって、この機能を同一のドラムブレーキ内で常用ブレーキ用として提供することが、長い間知られていた。このレバーは、シュー９２の移動端で枢動し、反応ストラット９８を介して、これをもう１つのシューから離間させる。
【００１２】
緊急ブレーキ機能は、常用ブレーキの制御回路が故障した場合等の特別な状況下で、動いている車両を減速することからなる。この動作は、駐車ブレーキと同一の機構によって実行されることが非常に多い。
【００１３】
常用ブレーキとして十分であり、費用対効果が高いとはいえ、このタイプのドラムブレーキは、駐車ブレーキとして、かつ緊急ブレーキとしても、制動トルクが不十分な場合がある。
【００１４】
「デュオサーボ」と呼ばれる、ドラムブレーキ用の別の動作モードも知られており、これは、アクチュエータが第１のシューの１つの端部を離間させるものである。第１のシューの１つの端部がドラムを押す一方で、そのもう１つの端部が浮動して、浮動するストラットによって、反対側の端部である、同様に浮動する第２のシューの端部に押しつけられる。したがって、第２のシューのもう１つの端部が、唯一停止板を押圧する。このモードは、明らかにより効率的であるが、調整がより困難で、不規則に摩耗する等の他の欠点がある。これが常用ブレーキとして用いられることは、めったにない。
【００１５】
デュオサーボ型のドラムブレーキは、例えば、常用ブレーキとして機能するディスクの中央ベルの内側をドラムとして用いる、「ドラムインハット」と呼ばれる組み合わせによって、もっぱら駐車ブレーキとして用いられることがあり、これは、欧州特許第０４１６７６０号明細書で説明されている。
【００１６】
また既にしばらく前から、単動モードで常用ブレーキとして、ならびにデュオサーボモードで駐車ブレーキとして動作するドラムブレーキを製造することが提案されてきた。したがって、仏国特許出願公開第２６９７５９９号明細書は、停止板の近くに機械式アクチュエータを追加することを提案しており、これは、シューを互いに離間させるために、シューの１つの端部を片側で押圧し、もう１つの側で、追加したレバーの端部を押圧するものである。このレバーは、もう１つのシューに沿って自在にスライドし、その反対側の端部がストラットを押圧し、レバー自身は第１のシューの移動端を押す。
【００１７】
さらに、ドラムブレーキのブレーキシューを電気的に作動させることも知られている。したがって、米国特許第８０１１４８２号明細書では、ブレーキシューが、ストラットによって作動されるカムで離間され、ストラット自身はねじナットシステムによって長手方向に変位し、ねじナットシステムは、ギヤセットを介して電動モータによって回転作動される機構について説明している。欧州特許出願公開第２１９５２１９号明細書では、ブレーキシューが、電動モータが直接駆動させるウォームによって駆動されるギヤを介して、変位するねじ付き部品によって互いに離間される、駐車ブレーキシステムを提案している。欧州特許第０５９４２３３号明細書は、電気機械的ドラムブレーキの別の例を示している。
【００１８】
これは、例えば、車両の重量に対して、および／またはブレーキを作動させるために満足な速度を得るのに十分な制動トルクを生成しながら、モータの重量および費用を最適化するために、出力電力がより高いかまたはより低い電動モータを組み込むために有用である。
【００１９】
したがって、異なる特性、特に異なる３次元特性を有する電動モータを装備した、アクチュエータを作ると有用である。
【００２０】
本発明の目的は、常用ブレーキ、駐車ブレーキ、および緊急ブレーキ機能を実行するために、ドラム・ブレーキ・アクチュエータを駆動させ、既存の異なる電動モータを柔軟に取り付けられるようにする、ギヤードモータ部品を提案することである。
【００２１】
また、電磁干渉に対する保護を向上させる、ギヤードモータ部品を提案することを目的とする。
【００２２】
また、電動モータの動作によって生成される熱の放散を改善した、ギヤードモータ部品を提案することを目的とする。
【００２３】
本発明の別の目的は、本装置の車両への適合を多様かつ容易にし、このような車両のための組み立て工程に柔軟に組み込めるようにすることである。
【００２４】
本発明のさらに別の目的は、単動、複動、およびデュオサーボモードの利点を一部または全て維持しながら、部品の数が少なく、製造および／または組立、ならびに／あるいは保守が容易で経済的な、安価な装置を提案することである。
【発明の概要】
【００２５】
本発明の第１の態様によれば、車両、特に自動車用のドラムブレーキのシューを離間させるために配置された、アクチュエータを駆動させるギヤードモータ部品であって、このギヤードモータ部品は、
軸線の周囲で回転し、例えば遊星ギヤの減速機構を介して、アクチュエータに結合できる出力軸を駆動させる、少なくとも１つの、例えば単一の電動モータと、
少なくとも１つの電動モータ、および減速機構を収容する、細長い形状、好ましくは円筒形のギヤード・モータ・ハウジングとを備え、
電動モータは、ハウジング内でモータ凹部の中に、回転軸に対して長手方向に配置され、凹部は、挿入口を介して、ハウジングの外側に開いていることを特徴とし、かつ
ギヤード・モータ・ハウジングのモータ凹部は、少なくとも１つの幾何学的形状、寸法、およびモータを固定する手段を含む特性を有し、回転軸に対する直径が異なる複数のモデルの電動モータを、同じようにうまく受けるのに適していることを特徴とする。
【００２６】
本発明によるギヤードモータ部品は、所望の用途に応じて、様々な既存の電動モータの取り付けに関し、柔軟性をもたらすことを可能にする。好適には、円筒形であることが好ましいギヤード・モータ・ハウジングは、様々な寸法、および／または電力が異なる電動モータを、同じようにうまく受けるように、直径が十分に大きい。
【００２７】
他の実施形態によれば、ギヤード・モータ・ハウジングは、異なる形状および異なる寸法を有する。
【００２８】
好ましい実施形態によれば、好ましくは管状の、少なくとも１つの円筒形シムケーシングは、少なくとも１つの電動モータの周囲に接触し、かつモータ凹部の内壁に径方向に接触して取り付けられ、電動モータを所定の位置に保持して、ギヤード・モータ・ハウジングに対して遊びをなくすことができる。このようにして、ギヤード・モータ・ハウジング内での電動モータの位置決めおよび中央合わせが簡単になる。さらに、電動モータを選択すれば、円筒形シムケーシングを変更するだけでよいため、異なる用途に対し、製造する部品の数を限定することが可能になる。
【００２９】
改善点によれば、ハウジングのモータ凹部の開口部を閉じる後部カバーは、後部カバーの壁から、一体化して軸線方向に延びる、「後部」と呼ばれる円筒形シムケーシングを有し、少なくとも１つの電動モータを径方向に接触して囲み、その結果、特に、ギヤード・モータ・ハウジングに対する、モータを囲む円筒形シムケーシングの組み合わせにおいて遊びがないように、電動モータを所定の位置に保持する。このようにして、電動モータの端部での中央合わせが改善される。
【００３０】
好適には、後部円筒形シムケーシングは、その全体の長さで電動モータを囲む。したがって、単一の部品で、電動モータの中央合わせと、ギヤードモータのハウジングを閉じることの両方が可能になる。
【００３１】
好適には、少なくとも１つの円筒形シムケーシングは、少なくとも１つの電動モータによって生成された電磁干渉に対するスクリーンを形成する材料で作られる。
【００３２】
また、少なくとも１つの円筒形シムケーシングは、少なくとも１つの電動モータによって生成された熱用の熱拡散器を生成するように、熱伝導材料で作られる。
【００３３】
第２の態様によれば、本発明は、シュースペーサ装置とも呼ばれる、ドラム・ブレーキ・アクチュエータを提案し、これは、特に本発明の第１の態様によれば、ギヤードモータ部品によって駆動される。このアクチュエータは、特に駐車ブレーキおよび／または常用ブレーキとして、ブレーキ機能を実行するように、ドラムブレーキの２つのシューを離間させるために配置される。
【００３４】
本発明の第３の態様によれば、これは、車両または車両サブアセンブリ用、特に道路車両用のドラムブレーキを提案し、摩擦ライニングを装備し、ブレーキ機能を実行する目的で、ブレーキドラムとの摩擦によって相互作用するために、互いに離間させることが可能なシューを備える。このドラムブレーキは、シューの離間を実行するために、前述の態様によるアクチュエータを備える。
【００３５】
本発明の第４の態様によれば、本発明によるアクチュエータは、移動端と呼ばれる２つのシューの第１の端部を、停止端と呼ばれる反対側に置かれた２つの第２の端部がプレートに固定されたアンカーに当接している間に、互いに離間させるために配置された第１のアクチュエータの効果で、第１のブレーキ機能、特に常用ブレーキ機能を提供するドラムブレーキ内で、特に駐車または緊急ブレーキ機能として、第２のブレーキ機能を提供できる第２のアクチュエータを形成する、ドラムブレーキを提案する。第２のアクチュエータは、移動端が、プレートに対して移動可能なスペーサ部品を介して互いに押圧している間に、シューの停止端を互いに離間させるために配置され、停止端は、１つずつが、プレートに固定されたアンカーを押圧することができる。このような特徴により、単動モードおよびデュオサーボモードを有する、デュアルモードドラムブレーキを形成することができる。
【００３６】
第５の態様によれば、本発明は、特に常用ブレーキとして第１のブレーキ機能を実行するために、ブレーキパッドと相互作用するブレーキディスク、ならびに特に駐車および／または緊急ブレーキとして、第２のブレーキ機能を提供するための、本発明によるドラムブレーキ装置であって、ドラムはブレーキディスクにしっかりと固定され、ブレーキディスクと同軸である、ドラムブレーキ装置を備える、車両または車両サブアセンブリ用、特に道路車両用のブレーキ装置を提案する。このような特徴により、「ドラムインハット」と呼ばれる、２つのタイプの機構を有するブレーキを形成することができ、そのドラムブレーキ機構は、デュオサーボモードで動作する。
【００３７】
別の態様によれば、本発明は、特に１つ以上の前述の態様によるアクチュエータ部品を含む、車両または車両サブアセンブリを提案する。
【００３８】
さらに別の態様によれば、本発明は、特に１つ以上の前述の態様による、ギヤードモータ部品またはアクチュエータ、あるいはドラムブレーキを組み立てる方法を提案し、この方法は、下記の順序または別の順序で、以下のステップを含む：
直径が異なる複数のモータから、回転軸の周囲で決定された直径を有する電動モータを選択するステップ；
選択した電動モータを、径方向に接触して囲むのに適した寸法を有し、ギヤードモータの電動モータとハウジングとの間に遊びがないように配置できる、円筒形シムケーシングを選択するステップ；
モータと円筒形シムケーシングとを組み付け、ギヤード・モータ・ハウジングの凹部に入れるステップ；
後部カバーをハウジングに固定するステップ。
【００３９】
このようにして、異なる電動モータを、ギヤードモータ部品、およびより一般的にはドラムブレーキ装置の組み立て工程に組み込むのが容易である。
【００４０】
このような特徴は、本発明にいくつかの利点をもたらす。まず、ギヤード・モータ・ハウジングの標準的な形状により、既存の異なる電動モータを、柔軟に取り付けることが可能になる。ギヤード・モータ・ハウジングは、常用ブレーキ、駐車ブレーキ、および緊急ブレーキ機能を実行するために生成される。さらに、修正が簡単なので、選択された電動モータに応じて、円筒形シムケーシングを追加するのに十分である。本ギヤードモータ部品は、経済性を保ち、既存の装置の利点の一部または全てを維持しながら、部品の数が低減され、製造および／または組み立て、ならびに／あるいは保守が、容易かつ経済的であるように構成される。最後に、シムケーシングの存在により、電磁干渉に対して入念な保護をもたらし、電動モータによって生成される熱に対する熱拡散器を生成することが可能になる。
【００４１】
本発明は、設計の柔軟性、およびブレーキを駆動させるギヤードモータおよびアクチュエータの組み込み、ならびに様々なモデル、または様々な選択肢で組み立てられたモデルを取り扱う、製造ラインでの製造への組み込みの改善を可能にする。
本発明の他の特徴および利点は、決して限定的ではない、実装および実施形態の詳細な説明、および添付の図面を参照することで明らかになるであろう。
【図面の簡単な説明】
【００４２】
【図１】ケーブルで作動するレバーによって得られる駐車ブレーキ機能を有する、単動型のドラムブレーキ機構の従来技術の例を示す、回転軸に沿った前面図である。
【図２】本発明の実施形態の例における、ドラム・ブレーキ・アクチュエータの第２のハウジングに組み付ける際の、後部カバーを除いたギヤードモータ部品の斜視図である。
【図３】本発明の実施形態の例における、モータギヤユニットの分解図である。
【図４】本発明の実施形態の例における、ブレーキアクチュエータの部分切り欠き斜視図である。
【図５】本発明の実施形態の例における、「デュアルモード」のドラムブレーキ機構の斜視図である。
【発明を実施するための形態】
【００４３】
これらの実施形態は決して限定的ではないため、本発明の変形例が具体的に想定されてもよく、変形例は、ある特性を選択することによって、技術的な利点が与えられるか、もしくは本発明を従来技術の水準に対して区別するのに十分であれば、説明されている他の特性からは切り離して、以下で説明するこの特性の選択のみを含んでいてもよい。
【００４４】
図２および図３に示す実施形態では、モータギヤユニット５は、全体的に円筒形の形状の直流モータ等の、電動モータ５２を含む。所望の技術的特性に応じてギヤードモータ部品５の出力電力を変化させるために、異なる電動モータが用いられる。例えば、減速させる車両の重量、またはドラムブレーキの作動速度に応じて、電動モータ５２が供給するトルクは、高くなったり低くなったりする。
【００４５】
モータギヤユニット５は、全体的に円筒形の形状で、電動モータ５２を収容するハウジング５１を備える。図３では、モータギヤユニットは、後部カバー５４によって、その挿入口５１１で閉じられており、後部カバー５４は、塵に対して密封状態で、ギヤード・モータ・ハウジング５１に組み付けられる。後部カバー５４には、モータの給電および／または制御用の電線５２９が、密封状態で通っている。
【００４６】
ハウジング５１は、円筒形の内側凹部を備え、この凹部の直径は、直径が異なるいくつかのモデルの電動モータを、同じようにうまく受けるのに十分な大きさである。したがって、様々な電力のモータ、例えば３４ｍｍまでの様々な直径のモータを用いることで、同じハウジングモデルで様々な電力値のギヤードモータ５を製造することが可能である。
【００４７】
電動モータ５２を、モータの直径に関係なくハウジング５１に正しく配置かつ保持するために、ギヤードモータ部品５は、電動モータに嵌合する円筒形シムケーシング５３を備える。円筒形シムケーシング５３の厚さは、モータ５２の半径と、ハウジング５１の内側凹部の半径との間の相違に相当する。所定の範囲で直径が異なるモータの場合は、対応する直径を有するある範囲のケーシングを製造すれば十分であり、寸法が異なるハウジングを製造するよりも簡単で経済的である。
【００４８】
モータ５２の場合は、モータ５２をハウジング５１の回転に対して不動にするために、カバー５４内でキャビティ５４３に軸線方向に嵌合する、少なくとも１つのエキセントリック歯５２８を備える。
【００４９】
図３に示す実施形態によれば、カバー５４は、カバー５４の壁５４２から一体となって軸線方向に延びる、後部円筒形シムケーシング５４１を有し、これは、モータの挿入口５１１で、回転する軸（図示せず）を囲むことによって、電動モータ５２の中央合わせに関与する。
【００５０】
あるいは、後部カバー５４は、円筒形シムケーシング５３の延長部で電動モータ５２を囲んで嵌合する、後部円筒形シムケーシングをさらに有する。
【００５１】
別の実施形態によれば、この後部円筒形シムケーシングは、モータ５２全体の長さを覆うように、前述の事例よりも細長い形状を有する。したがって、後部カバー５４と、円筒形シムケーシング５３および５４１とは、同一の部品を形成する。
【００５２】
したがって、同一のハウジング５１に対する、モータの幅の相違は、カバーの幅の相違に対応することができる。
【００５３】
好適には、円筒形シムケーシング５３、またはカバー５４がこれに置き換えられた場合も、電磁干渉に対するシールドを形成するか、かつ／あるいはモータによって生成された熱の熱拡散器を生成する材料で作られる。
【００５４】
アクチュエータに対するギヤードモータの説明
図４の実施形態では、ギヤードモータ５は、密封状態でアクチュエータ２の第２のハウジング２３に組み付けられる。ハウジング２３は、ハウジング５１を受けるための凹部２５を備える。ハウジング５１は、第２のハウジング２３に対して、ハウジング５１がその軸線の周囲で回転するのを防ぐようにハウジング２３に固定され、ハウジング２３自身は、ブレーキ・バッキング・プレート１０に強固に固定される。ギヤードモータ部品５の出力軸５５７は、伝達装置サブアセンブリ４の入力ホイールの、（図２に示す）内部駆動形状を有する軸穴に連結される。出力軸５５７は、（図３に示す）相補的な駆動形状を有する。これら２つの相補的な駆動形状の幾何学的形状は、好適には、伝達される動力出力の障害や損失がほとんどないかあるいは皆無の状態で、これらの間に一定の角度方向の遊びができるタイプから選択される。この幾何学的形状は、ここでは多葉型であり、例えば、ＩＳＯ１０６６４規格で規定された６つの分岐すなわちヘクサロビュラ、または５つの分岐型、もしくはＴｅｘｔｒｏｎ社から「Ｔｏｒｘ」の名称で市販されているもののいずれかである。
【００５５】
ギヤードモータ部品５の出力軸５５７の回転は、伝達装置サブアセンブリ４によってリニア・アクチュエータ・アセンブリ３に伝達され、伝達装置サブアセンブリ４は、複数の平行な軸線を有し、駆動部品の回転運動をリニア・アクチュエータ・アセンブリの１つの部品に伝達するために、噛み合って取り付けられる複数のギヤを含む。これらのギヤの軸線もまた、得られた直動の方向Ｄ２と同様に、モータギヤユニット５の回転軸と平行である。
【００５６】
アクチュエータアセンブリ３は、図５に示すように、作動装置をプレート１０に固定するように機能する、主ハウジング２１に取り付けられる。主ハウジング２１および第２のハウジング２３は、伝達装置サブアセンブリ４を、（少なくとも塵に対して）密封状態で収容するために互いに組み付けられ、伝達装置サブアセンブリ４は、いくつかの外歯ギヤを含み、この事例では、補正されたヘリカルギヤ歯を有する３つのギヤを含む。
【００５７】
図５は、本発明の実施形態の例における、「デュアルモード」のドラムブレーキ機構を示し、より詳細には、バッキングプレート１０が、第２のアクチュエータ２を収容するための開口部を有する。この実施形態は、常用ブレーキモード用の様々なタイプのアクチュエータ、ならびに駐車または緊急ブレーキのアクチュエータ用の様々なタイプの駆動部品で実現される。
【００５８】
このドラムブレーキ１は、回転軸Ａ１の周囲で互いに対して回転運動することにより、ドラム（図示せず）とプレート１０との間に制動トルクを生成する。標準的な道路車両アーキテクチャでは、プレート１０は、通常は懸架されたアクスルまたはハーフアクスルアセンブリによって、回転するように車両のシャーシに固定されている。ドラムは、ホイールにしっかりと固定され、かつここには図示されていないハブおよびベアリングによって、軸線Ａ１の周囲で移動するように固定され、かつ回転するようにガイドされる。
【００５９】
常用ブレーキでは、制動トルクは、以下のもの同士の間の摩擦効果による、エネルギーの吸収によって生成される：
一方は、図１のドラムと同様の、ドラムの内面によって支持されている制動面、
もう一方は、第１のシュー１２および第２のシュー１３によってそれぞれ支持されている摩擦ライニング１２３、１３３。
【００６０】
摩擦は、第１のアクチュエータ１１、ここではプレート１０に固定された油圧シリンダの効果によって、シューを外向きに離間させることによって得られる。アイドル位置から、または駐車ブレーキ位置から、この第１のアクチュエータ１１は、このようにしてこの機構を常用ブレーキ位置にし、アイドル位置への復帰は、例えば２つのシューを互いに結合する戻りばねによって達成される。
【００６１】
この例では、ドラムブレーキは、常用ブレーキとして作動されるときに、単動モードで動作するために配置されている。第１のアクチュエータ１１は、２つの対向するピストン１１１を有する「ホイールシリンダ」であり、そのそれぞれは、２つの対向する端部１２１、１３１、すなわち回転軸Ａ１の同じ側にあり、本明細書では「移動端」と呼ばれて図の上部にある、２つの端部を互いに離間させることによって、シュー１２、１３のうちの１つを作動させる。停止端と呼ばれる対向する端部１２２、１３２で、各シューは、アンカーを介してプレート１０を押圧し、アンカーは、プレートにしっかりと固定されて、このシューの停止部を形成する。アンカーは、シューとプレートとの間に、少なくとも部分的に制動トルクを伝達する。この例では、２つのシューのアンカーは、シュースペーサと呼ばれる、第２のアクチュエータ２のハウジング２１によって生成される。第２のアクチュエータ２は、ハウジング２１を介してプレート１０に固定される。図１に示す例では、アンカーは、通常はバッキングプレート９０にリベット留めされた、停止板９４によって生成される。
【００６２】
第２のアクチュエータ２は、作動アセンブリを備え、これは、駐車または緊急ブレーキモードにおいて、シュー１２、１３の停止端１２２、１３２を互いに離間させるために押圧して、シューがドラムの制動面を押圧するようにする。
【００６３】
アイドル位置から、または常用ブレーキ位置から、この第２のアクチュエータ２は、このようにしてこの機構を駐車ブレーキ位置にし、アイドル位置への復帰は、例えば、常用ブレーキについて上述した戻りばねによって行われる。
【００６４】
ギヤードモータの円筒形シムケーシング５３および５４１、もしくは後部カバー５４も、安価で、特にモータ５２およびギヤード・モータ・ハウジング５１に対して、設計および製造上の制約が少ない。同一のハウジング５１は、製造現場を含めて、選択されたモータに対応する円筒形シムケーシングを単に選択することによって、最適な妥協点に最も適したモータを用いることが可能になる。
【００６５】
したがって、例えば、様々なブレーキタイプの選択肢を有する車両範囲を提供すること、調達を同一の組み立てライン内に収めること、あるいは安価かつ柔軟なやり方で、このような異なる選択肢を与えるために、既存のラインまたは既存の車両モデルに適合させることが可能である。
【００６６】
無論、本発明は、説明した例に限定されることはなく、本発明の範囲を超えることなく、これらの例に多くの調整を行うことが可能である。また、本発明の様々な特徴、形状、変形例および実施形態は、互いに不適合でないか、または相互に排他的でない程度に、様々な方法で互いに組み合わせることができる。
【符号の説明】
【００６７】
１  ドラムブレーキ
１０  バッキングプレート
１１  第１のアクチュエータ−ホイールシリンダ−常用ブレーキ
１１１，１１２  ホイール・シリンダ・ピストン
１２，１３  シュー
１２１，１３１  シューの移動端
１２２，１３２  シューの停止端
１２３，１３３  摩擦ライニング
１４  スペーサ部品−調整ストラット
２  第２のアクチュエータ−シュースペーサ−駐車または緊急ブレーキ
２１  主シュー・スペーサ・ハウジング
２３  第２のシュー・スペーサ・ハウジング
２４  第２のハウジングのカートリッジ凹部
２５  第２のハウジングのギヤードモータ凹部
３  リニア・アクチュエータ・アセンブリ
３１  ねじナットシステムのスプラインナット
３２  ピストンを形成するねじナットシステムのねじ
３３  リニア弾性ピストン−「スプリングパッケージ」
４  伝達装置サブアセンブリ−ギヤカートリッジ
５  ギヤード・モータ・アセンブリ（モータ−ギヤユニット）
５１  ギヤード・モータ・ハウジング
５１１  円筒形の挿入口−モータ凹部
５２  電動モータ
５２８  歯部
５２９  モータへの電源供給
５３  電磁シールドおよび熱拡散器を形成する、円筒形シムケーシング
５４  モータの後部カバー
５４１  後部カバーのシムの形状
５４２  後部カバーの壁
５４３  凹部
５５  遊星ギヤ減速機構
５５７  出力軸
従来技術
９  ドラムブレーキ
９０  バッキングプレート
９１  アクチュエータ
９２，９３  シュー
９２３，９３３  摩擦ライニング
９４  停止板
９５  ホイールドラム
９６  ドラムの制動面
９７  駐車ブレーキレバー
９８  駐車ブレーキ反応ストラット
９９  駐車ブレーキ制御ケーブル
【図１】
0006530411.tif 000002
【図２】
0006530411.tif 000003
【図３】
0006530411.tif 000004
【図４】
0006530411.tif 000005
【図５】
0006530411.tif 000006